(57)【特許請求の範囲】
【請求項１】
分水機構を装着可能な半円弧状のサドルと、当該サドルにフランジを介して締結可能なバンドとを備えたサドル分水栓において、当該バンドを、フランジを有する左右のフランジ部材と、このフランジ部材間に互いに折曲可能な関節構造によって連結される複数の中間部材とによって構成し、上記中間部材の基体の前後の連結面の一側に断面先太の嵌合突条を設ける一方、他側に当該嵌合突条が嵌入して遊動可能な嵌合凹溝を設けて互いに折曲可能な関節構造を構成すると共に、一方のフランジ部材に上記嵌合突条を設け、他方のフランジ部材に上記嵌合凹溝を設けて上記中間部材を連結するようにしたことを特徴とするサドル分水栓。
【請求項２】
上記嵌合突条は断面略円を一部切除して平面を有するものとし、上記嵌合凹溝は左右端の挿入口の形状を上記嵌合突条の側面形状と対応した平面を有するものとして嵌合突条を一定角度でのみ挿脱可能とすると共に、中間部分の凹部を断面円筒状として嵌合突条が遊動するようにしたものである請求項１記載のサドル分水栓。
【発明の詳細な説明】
【０００１】
【発明の属する技術分野】
この発明は水道の給水本管などから分岐管を取り出すサドル分水栓に関し、少ない部品で様々な管径に適応可能としたサドル分水栓に関するものである。
【０００２】
【従来の技術】
従来からサドル分水栓は公知であるが、従来のサドル分水栓は一般に、分水機構を装着可能な半円弧状のサドルと、当該サドルにフランジを介して締結可能な半円弧状のバンドとを備え、上記サドルとバンドとを一定トルクで締結することで給水本管を上下方向から挟持するようにしたものである。
【０００３】
【発明が解決しようとする課題】
しかしながら、従来のサドル分水栓は、上記サドルやバンドの円弧の口径が規格化されており、一管種、一口径、一品種という製造方法が採用されている。従って、管種や口径に関して種々の部品が多様に存在し、それら部品の発注や在庫の管理等が非常に面倒であった。さらに、製品として組み上げた後も、同様に品種が多岐にわたるため、在庫管理等が困難であった。また、金型を修復する必要があるときには金型点数の分だけ余分にコストがかかるという問題もあった。
【０００４】
本発明は、サドル分水栓の構成部品の規格化、共通化を図ることによって、部品や製品の在庫管理の困難さを解消することを目的としたものである。
【０００５】
【課題を解決するための手段】
上記課題を解決するため本発明は、分水機構を装着可能な半円弧状のサドルと、当該サドルにフランジを介して締結可能なバンドとを備えたサドル分水栓において、当該バンドを、フランジを有する左右のフランジ部材と、このフランジ部材間に互いに折曲可能な関節構造によって連結される複数の中間部材とによって構成するという手段を採用したものである。
【０００６】
具体的には、中間部材の基体の前後の連結面の一側に断面先太の嵌合突条を設ける一方、他側に当該嵌合突条が嵌入して遊動可能な嵌合凹溝を設けて互いに折曲可能な関節構造を構成すると共に、一方のフランジ部材に上記嵌合突条を設け、他方のフランジ部材に上記嵌合凹溝を設けて上記中間部材を連結するという手段を採用した。
【０００７】
また、上記嵌合突条は断面略円を一部切除して平面を有するものとし、嵌合凹溝は左右端の挿入口の形状を上記嵌合突条の側面形状と対応した平面を有するものとして嵌合突条を一定角度でのみ挿脱可能とすると共に、中間部分の凹部を断面円筒状として嵌合突条が遊動するようにして、連結後に横方向に容易に抜けない構造とするという手段も採用した。
【０００８】
上記構成にかかるサドル分水栓によれば、バンドを構成する中間部材を互いに折曲可能な関節構造によって連結したので、管種や管径に応じてバンドの口径が変更可能であり、また、中間部材の連結数を増減することによって、幅広い管種、管径に対応できるものである。
【０００９】
そして、各部材の連結は嵌合突条と嵌合凹溝を横方向にスライドさせて挿入する構造であるから、特殊な工具等を必要とせず容易に組み立て可能であり、さらに、嵌合凹溝の挿入口の形状を嵌合突条の断面形状と対応させたので連結後は容易に抜け落ちることがない。
【００１０】
【発明の実施の形態】
以下、本発明の好ましい実施の形態を添付図面に基づいて説明する。
図１は本発明にかかるサドル分水栓において上面に装着する分水機構を省略した側面図であるが、図において、１は上面の鞍部１ａに公知の分水機構を立設可能な半円弧状のサドルであって、左右端部にはそれぞれフランジ１ｂを形成している。２は全体としてバンドを構成するものであるが、図２に示すように、左右のフランジ部材３、４と所要数の中間部材５、５…で構成したものである。このフランジ部材３、４および中間部材５は互いに折曲可能な関節構造で連結されており、給水本管（Ｈ）の外径に添って円弧を形成している。而して、上記サドル１とバンド２をフランジを介してボルト・ナット６で緊締し、給水本管（Ｈ）を挟持して分水栓を設置するようにしたものである。この場合、バンド２は複数の中間部材５を関節構造で連結したものであるから、給水本管の管径に応じて中間部材の連結数を増減させることによってバンドの円弧の口径が変更可能であり、給水本管の管径に関係なく管に添い合わされて給水本管を確実に挟持することができるものである。なお、サドルの分水機構と給水本管との接続は、従来公知の方法によって接続する。
【００１１】
上記バンド２についてさらに詳しく述べると、上述のように左右のフランジ部材３、４と複数の中間部材５によって構成したもので、中間部材５は図３に示すように、略長方形状の基体５ａの前後の連結面の一側に断面が先太楔状の嵌合突条５ｂを設けると共に、他側にはこの嵌合突条５ｂが嵌入して遊動可能とした凹部を有する嵌合凹溝５ｃを設けたものである。而して、嵌合突条５ｂを嵌合凹溝５ｃの長手方向横からスライドして挿入すると、嵌合突条５ｂは嵌合凹溝５ｃ内を遊動し、互いに一定量折曲可能な関節構造となって連結されるのである（図４（Ｂ）参照）。このとき、嵌合突条５ｂは例えば図４に示すように断面略円の一部を切除して平面を有するものとし、嵌合凹溝５ｃは、左右端の挿入口の形状を上記嵌合突条５ｂの側面形状と対応した平面を有するものとして嵌合突条５ｂを挿入可能とすると共に、中間部分の凹部を断面円筒状として嵌合突条５ｂが遊動するようにする。即ち、嵌合突条５ｂを嵌合凹部５ｃに対して一定角度にしたときにのみ挿脱可能とすることで、連結後に横方向に容易に抜けない構造としている。このため、各部材を組み合わせてバンドを構成する際、一度連結すれば部材が容易に脱落することがなく、作業性を妨げない。
【００１２】
また、フランジ部材３は一側にフランジ３ａを有し、他側には上記中間部材５の嵌合突条５ｂが遊嵌可能な嵌合凹溝３ｂを有する。一方、フランジ部材４も一側にフランジ４ａを有すると共に、他側には上記中間部材の嵌合凹溝５ｃに遊嵌可能な嵌合突条４ｂを有するものである。従って、左右のフランジ部材３、４間に所要数の中間部材５を連結することによって、互いに折曲可能な関節構造で連結され、給水本管の管径に応じた任意の口径のバンドを構成することが可能となるのである。
なお、各部材間の連結は上記構造に限定されるものではなく、互いに折曲可能な関節構造で連結されるものであればよい。
【００１３】
【発明の効果】
以上述べたように、本発明にかかるサドル分水栓は、複数の中間部材を関節構造で連結したものでバンドを構成するようにしたので、中間部材の連結数を増減することによってバンドの口径を任意に変更することが可能となって、あらゆる管種、管径に対応できるようになった。この場合、バンドは左右のフランジ部材と複数の同一形状の中間部材のみで構成するようにしたので、従来のように種々の管径に応じた多様な部品を在庫管理する必要がなく、部品や製品の在庫管理の負担が大幅に軽減できるようになった。
【００１４】
また今後、部材のステンレス化や樹脂化をはかる場合にも、構成部品数が少ないため、金型作成の費用を大幅に削減することが可能であり、さらに製造ロット数を増やすことができるので、コストの面でも有利となる。
【図面の簡単な説明】
【図１】本発明にかかるサドル分水栓の側面図である。
【図２】バンドの構成を示す側面図である。
【図３】中間部材の斜視図である。
【図４】関節構造の連結状態を示す側面図である。
【符号の説明】
１    サドル
２    バンド
３    フランジ部材
３ｂ  嵌合凹溝
４    フランジ部材
４ｂ  嵌合突条
５    中間部材
５ｂ  嵌合突条
５ｃ  嵌合凹溝
【図１】
0003547076.tif 000002
【図２】
0003547076.tif 000003
【図３】
0003547076.tif 000004
【図４】
0003547076.tif 000005